(57)【要約】【課題】電子装置の本体及び電子蓋の摩損を軽減できる電池蓋ロック機構及びそれを用いた電子装置を提供する。【解決手段】本発明に係る電池蓋ロック機構は、電池蓋を電子装置のバックフレームに固定するために用いられ、前記バックフレームに装着される吸着部材と、振りロッドと、復帰部材と、前記バックフレームにスライド可能に装着されるスライドキーと、を備える。振りロッドの一端は、回転軸を介して前記バックフレームに回転可能に装着され、振りロッドの他端は、吸着部材に固定される。復帰部材は、振りロッドとバックフレームとの間に固定され、吸着部材及び復帰部材は、それぞれ回転軸の両側に位置する。振りロッドには、互いに離間する第一位置決め部及び第二位置決め部が設けられており、スライドキーが第一位置決め部又は第二位置決め部に当止されると、電池蓋は吸着部材に吸着されるか又は吸着部材との吸着状態から解除される。【選択図】図７
2011243566.tif 000002
【特許請求の範囲】
【請求項１】
電池蓋を電子装置のバックフレームに固定するために用いられる電池蓋ロック機構であって、
前記電池蓋ロック機構は、前記バックフレームに装着される吸着部材と、振りロッドと、復帰部材と、前記バックフレームにスライド可能に装着されるスライドキーと、を備え、
前記振りロッドの一端は、回転軸を介して前記バックフレームに回転可能に装着され、前記振りロッドの他端は、前記吸着部材に固定され、
前記復帰部材は、前記振りロッドと前記バックフレームとの間に固定され、前記吸着部材及び前記復帰部材は、それぞれ前記回転軸の両側に位置し、
前記振りロッドには、互いに離間する第一位置決め部及び第二位置決め部が設けられており、前記スライドキーが前記第一位置決め部又は前記第二位置決め部に当止されると、前記電池蓋は前記吸着部材に吸着されるか又は前記吸着部材との吸着状態から解除されることを特徴とする電池蓋ロック機構。
【請求項２】
前記第一位置決め部及び前記第二位置決め部は、全て凹溝であることを特徴とする請求項１に記載する電池蓋ロック機構。
【請求項３】
前記吸着部材は吸盤であり、前記吸盤の外表面には吊り縄が設けられており、前記スライドキーが前記第一位置決め部に当止される場合、前記吊り縄が緩められ、前記吸着部材と前記電池蓋とが一体に固着され、
前記スライドキーが前記第二位置決め部に当止される場合、前記吊り縄が引っ張られ、前記吸着部材と前記電池蓋とが互いに吸着する状態から解除されることを特徴とすることを特徴とする請求項２に記載する電池蓋ロック機構。
【請求項４】
前記吸着部材は磁性体であることを特徴とする請求項２に記載する電池蓋ロック機構。
【請求項５】
バックフレームと、前記バックフレームに覆われる電池蓋と、前記電池蓋を電子装置のバックフレームに係止するための電池蓋ロック機構と、を備える電子装置であって、
前記電池蓋ロック機構は、前記バックフレームに装着される吸着部材と、振りロッドと、復帰部材と、前記バックフレームにスライド可能に装着されるスライドキーと、を備え、
前記振りロッドの一端は、回転軸を介して前記バックフレームに回転可能に装着され、前記振りロッドの他端は、前記吸着部材に固定され、
前記復帰部材は、前記振りロッドと前記バックフレームとの間に固定され、且つ前記吸着部材及び前記復帰部材は、それぞれ前記回転軸の両側に位置し、
前記振りロッドには、互いに離間する第一位置決め部及び第二位置決め部が設けられており、前記スライドキーが前記第一位置決め部又は前記第二位置決め部に当止されると、前記電池蓋が前記吸着部材に吸着されるか又は前記吸着部材との吸着状態から解除されることを特徴とする電子装置。
【発明の詳細な説明】
【技術分野】
【０００１】
本発明は、電池蓋ロック機構に関し、特に、電子装置に用いられる電池蓋ロック機構に関するものである。
【背景技術】
【０００２】
従来の電子装置において、電池蓋の内表面には複数の係止フックが設けられており、本体の背面には複数の前記係止フックに対応する複数のスロットが設けられている。前記係止フックが前記スロットに係合して、前記電子蓋を前記本体に固定させる。しかし、前記係止フックと前記スロットとが互いに係合する際、前記係止フック及び前記スロットの表面が摩損される問題があるので、前記電子装置を長期間使用すると、前記電子蓋と前記本体との係合が緩くなる。
【発明の概要】
【発明が解決しようとする課題】
【０００３】
以上の問題点に鑑みて、本発明は、電子装置の本体及び電子蓋の摩損を軽減できる電池蓋ロック機構及びそれを用いた電子装置を提供することを目的とする。
【課題を解決するための手段】
【０００４】
前記問題を解決するために、本発明に係る電池蓋ロック機構は、電池蓋を電子装置のバックフレームに固定するために用いられ、前記バックフレームに装着される吸着部材と、振りロッドと、復帰部材と、前記バックフレームにスライド可能に装着されるスライドキーと、を備える。前記振りロッドの一端は、回転軸を介して前記バックフレームに回転可能に装着され、前記振りロッドの他端は、前記吸着部材に固定される。前記復帰部材は、前記振りロッドと前記バックフレームとの間に固定され、前記吸着部材及び前記復帰部材は、それぞれ前記回転軸の両側に位置する。前記振りロッドには、互いに離間する第一位置決め部及び第二位置決め部が設けられており、前記スライドキーが前記第一位置決め部又は前記第二位置決め部に当止されると、前記電池蓋は前記吸着部材に吸着されるか又は前記吸着部材との吸着状態から解除される。
【０００５】
前記問題を解決するために、本発明に係る電子装置は、バックフレームと、前記バックフレームに覆われる電池蓋と、前記電池蓋を電子装置のバックフレームに係止するための電池蓋ロック機構と、を備える。前記電池蓋ロック機構は、前記バックフレームに装着される吸着部材と、振りロッドと、復帰部材と、前記バックフレームにスライド可能に装着されるスライドキーと、を備える。前記振りロッドの一端は、回転軸を介して前記バックフレームに回転可能に装着され、前記振りロッドの他端は、前記吸着部材に固定される。前記復帰部材は、前記振りロッドと前記バックフレームとの間に固定され、前記吸着部材及び前記復帰部材は、それぞれ前記回転軸の両側に位置する。前記振りロッドには、互いに離間する第一位置決め部及び第二位置決め部が設けられており、前記スライドキーが前記第一位置決め部又は前記第二位置決め部に当止されると、前記電池蓋が前記吸着部材に吸着されるか又は前記吸着部材との吸着状態から解除される。
【発明の効果】
【０００６】
従来の技術に比べて、本発明の電池蓋ロック機構は、吸着部材を介して電池蓋を前記バックフレームに吸着して固定するので、係止フックと係止スロットとの係合に起因する電池蓋の摩損を防止する。
【図面の簡単な説明】
【０００７】
【図１】本発明の電池蓋ロック機構が電子装置に用いられる状態での分解図である。
【図２】図１に示した電子装置を別の視点から見た分解図である。
【図３】図２に示した電子装置のＩＩＩ部の拡大図である。
【図４】本発明の電池蓋ロック機構の分解図である。
【図５】図４に示した電池蓋ロック機構のスライド部材を別の視点から見た拡大図である。
【図６】図１に示した電子装置の組立図である。
【図７】図６に示した電子装置のＶＩＩ−ＶＩＩ線に沿う断面図である。
【図８】図７に示した電子装置のカバー体が本体に対してオープンされた状態での断面図である。
【発明を実施するための形態】
【０００８】
本発明の電池蓋ロック機構は、携帯電話、個人用携帯情報端末（ＰＤＡ）及びパソコン等の電子装置に用いられる。以下、図面を参照しながら本発明の実施形態に係る電池蓋ロック機構について詳細に説明する。
【０００９】
図１に示したように、本発明の電子装置１００は、フロントケース１０、バックフレーム２０、電池蓋ロック機構３０及び電池蓋４０を備える。前記バックフレーム２０が前記フロントケース１０に固定され、前記電池蓋ロック機構３０は前記バックフレーム２０に装着され、前記電池蓋４０は前記電池蓋ロック機構３０を介して前記バックフレーム２０に係合される。
【００１０】
図２及び図３に示したように、前記バックフレーム２０は、主体部２２及び前記主体部２２の周縁部から折り曲げられて形成された周壁２４を備える。前記主体部２２には、電池を収納するための収容凹所２２２が設けられている。前記主体部２２における前記収容凹所２２２の一端に近い箇所には、２つの係止スロット２２４が間隔をあけて設けられており、前記主体部２２における前記収容凹所２２２の他端に近い箇所には、貫通孔２２６及び前記主体部２２を貫通するスライドスロット２２７が設けられている。前記主体部２２のフロントケース１０に対面する表面には、取付部２２８及び突柱２２９が設けられている。前記係止スロット２２４は、前記電池蓋４０を係止するために用いられる。前記スライドスロット２２７及び前記突柱２２９は、前記貫通孔２２６と前記取付部２２８との間に位置し、前記突柱２２９は、前記スライドスロット２２７と前記貫通孔２２６との間に位置する。
【００１１】
前記取付部２２８は、コ字状の部材であり、平行する２つの取付板２２８２を含み、前記本体部２２における前記２つの取付板２２８２の間には、復帰部材３６を位置付けるための位置決め柱２２８４が突設されている（図７を参照）。各取付板２２８２は固定穴２２８６を有し、２つの前記固定穴２２８６が同軸に設けられる。
【００１２】
前記電池蓋４０の片側の端縁には、２つの係止爪４２が間隔をあけて設けられており、前記係止爪４２が前記バックフレーム２０の係止スロット２２４内に係合される。
【００１３】
図４に示したように、前記電池蓋ロック機構３０は、振りロッド３２と、前記振りロッド３２の一端に固定される吸着部材３４と、前記振りロッド３２の他端に装着される復帰部材３６と、前記振りロッド３２に当止されるスライドキー３８と、を備える。前記振りロッド３２の上面には、第一位置決め部３２２及び第二位置決め部３２４が設けられており、本実施形態において、前記第一位置決め部３２２及び前記第二位置決め部３２４は凹溝であり、両者は互いに離間して平行するように設けられる。前記スライドキー３８を前記第一位置決め部３２２又は前記第二位置決め部３２４に当止することにより、前記振りロッド３２を前記バックフレーム２０の異なる位置に位置決めする。前記振りロッド３２には、前記復帰部材３６を装着するための凹溝３２６及び前記回転軸３９を装着するための軸穴３２８が設けられている。前記軸穴３２８と前記バックフレーム２０の固定穴２２８６との位置を合わせてから、前記回転軸３９を前記軸穴３２８及び前記固定穴２２８６に回転可能に固定すると、前記振りロッド３２は前記バックフレーム２０に回転可能に装着される。前記吸着部材３４は、吸盤３４２、前記吸盤３４２の外表面に連接される吊り縄３４４及び前記吊り縄３４４の端部に設けられる環状部３４６を備える。前記吸盤３４２は、略ラッパ型を呈し、前記電池蓋４０に吸着される。前記環状部３４６を前記バックフレーム２０の突柱２２９に引っ掛けて、前記吊り縄３４４を前記バックフレーム２０に固定する。前記復帰部材３６の一端は、前記バックフレーム２０の位置決め柱２２８４に套設され、前記復帰部材３６の他端は前記振りロッド３２の凹溝３２６内に固定される。
【００１４】
図５に示したように、前記スライドキー３８は、スライド部３８２及び前記振りロッド３２に当止される当止部３８４を備える。前記当止部３８４の前記スライド部３８２に近い一端には、２つの取付凹口３８４２が形成されている。前記２つの取付凹口３８４２を介して、前記スライドキー３８を前記バックフレーム２０にスライド可能に装着する。
【００１５】
以下、図６及び図７を一緒に参照しながら、本発明の電子装置１００の組立ステップについて詳細に説明する。
【００１６】
まず、前記吸着部材３４の吸盤３４２を前記バックフレーム２０の貫通孔２２６内に装入して、前記吊り縄３４４の環状部３４６を前記バックフレーム２０の突柱２２９に掛止する。続いて、前記復帰部材３６の一端を前記振りロッド３２の凹溝３２６内に嵌入し、前記復帰部材３６の他端を前記バックフレーム２０の位置決め柱２２８４に套設する。続いて、前記振りロッド３２の軸穴３２８と前記バックフレーム２０の固定穴２２８６との位置を合せてから、前記回転軸３９を前記軸穴３２８及び前記固定穴２２８６に係止する。続いて、粘着などの方式で、前記振りロッド３２の前記凹溝３２６から離れている一端を前記吸着部材３４に固着する。この場合、前記振りロッド３２は、前記復帰部材３６の反発力により、前記吸着部材３４の吸盤３４２を突上げて、前記吸盤３４２を前記貫通孔２２６から部分的に露出させる。前記吊り縄３４４が前記バックフレーム２０に固定されているため、前記吸盤３４２が前記貫通孔２２６から突き出す際、前記吸盤３４２の吊り縄３４４に連接される部分は変形する。ここで前記吊り縄３４４の変形量を無視することができる。
【００１７】
次に、前記スライドキー３８の当止部３８４を前記スライドスロット２２７内に押し込んでから、前記スライドキー３８を９０度回転して、前記スライドスロット２２７両側の主体部２２を前記取付凹口３８４２内に収容して、前記スライドキー３８を前記バックフレーム２０にスライド可能に取付ける。続いて、前記スライドキー３８をスライドさせて、前記当止部３８４を前記振りロッド３２の第二位置決め部３２４に当止させる。この際、前記吸盤３４２の前記吊り縄３４４に連接する部分は、依然として前記吊り縄３４４に引っ張られて変形する。続いて、前記フロントケース１０を前記バックフレーム２０に係合する。
【００１８】
最後に、前記係止爪４２を前記係止スロット２２４内に係合してから、外力により前記電池蓋４０で前記バックフレーム２０の収容凹所２２２を覆うと、前記電池蓋４０の係止爪４２が設けられていない端部は、前記吸盤３４２を押圧して、前記吸盤３４２内の空気を排出させ、大気圧の作用により前記吸盤３４２は前記電池蓋４０に密封して吸着させる。前記吸盤３４２を圧縮状態に保持すると共に、前記回転軸３９に向って前記スライドキー３８のスライド部３８２をスライドして、前記当止部３８４を前記第二位置決め部３２４から退出させて前記第一位置決め部３２２内に当止させると、前記振りロッド３２の一端は前記回転軸３９を巡って前記電池蓋４０から離れるように回転すると共に、前記振りロッド３２の他端は前記復帰部材３６を圧縮して弾性力を蓄積し、前記吸盤３４２は前記バックフレーム２０の貫通孔２２６内に収納されて、前記電池蓋４０が前記バックフレーム２０に緊密に係合され、前記電子装置１００が一体に組立てられる。
【００１９】
図８に示したように、前記電池蓋４０を開ける場合、前記吸盤３４２に向って前記スライドキー３８をスライドさせると、前記振りロッド３２は前記復帰部材３６の反発力により前記回転軸３９を巡って回転すると共に、前記吸盤３４２が連動して前記貫通孔２２６から次第に突出する。この過程において、前記吸盤３４２の前記吊り縄３４４に連接する部分は、前記吊り縄３４４に引っ張られて変形し、空気が前記吸盤３４２の内部に入り、前記吸盤３４２は前記電池蓋４０から離脱すると共に前記電池蓋４０を上へ突き上げて、前記電池蓋４０は前記係止爪４２が設けられた一端を巡って回転する。前記当止部３８４が前記第二位置決め部３２４内に当止された後、前記振りロッド３２は回転しなくなる。この際、前記電池蓋４０の係止爪４２が設けられていない一端は、前記バックフレーム２０に対して立ち上がる。最後に、前記電池蓋４０を前記バックフレーム２０から取り外す。
【００２０】
なお、前記電池蓋４０の係止爪４２の数量は、２つに限定されるものではなく、１つ或いは複数であることができる。
【００２１】
なお、前記係止爪４２の代わりに、回転軸を介して前記電池蓋４０を前記バックフレーム２０に回転可能に装着することができる。
【００２２】
なお、前記吸着部材３４は、前記振りロッド３２の前記回転軸３９から離れている一端に固定され且つ前記電池蓋４０に解除可能に吸着される磁性体であってもよい。これ相応に、前記電池蓋４０をステンレスのような磁性体に吸着できる材料により制作する。
【００２３】
本発明によれば、前記電池蓋ロック機構３０の吸着部材３４を介して、前記電池蓋４０を前記バックフレーム２０に吸着して固定するので、係止フックと係止スロットとの係合に起因する電池蓋の摩損が防止される。
【００２４】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２５】
１０        フロントケース
２０        バックフレーム
２２        主体部
２４        周壁
３０        電池蓋ロック機構
３２        振りロッド
３４        吸着部材
３６        復帰部材
３８        スライドキー
３９        回転軸
４０        電池蓋
１００      電子装置
２２２      収容凹所
２２４      係止スロット
２２６      貫通孔
２２７      スライドスロット
３２２      第一位置決め部
３２４      第二位置決め部
３２６      凹溝
３２８      軸穴
３４２      吸盤
３４４      吊り縄
３４６      環状部
３８２      スライド部
３８４      当止部
２２８２    取付板
２２８４    位置きめ柱
２２８６    固定穴
３８４２    取付凹口
【図１】
2011243566.tif 000003
【図２】
2011243566.tif 000004
【図３】
2011243566.tif 000005
【図４】
2011243566.tif 000006
【図５】
2011243566.tif 000007
【図６】
2011243566.tif 000008
【図７】
2011243566.tif 000009
【図８】
2011243566.tif 000010